(57)【特許請求の範囲】
【請求項１】
電磁誘導通信機能および書換可能な記憶機能を有するデータキャリアと、視覚表示機器または／および音声再生機器に接続され、該データキャリアに対する電磁誘導通信機能、およびホストコンピュータに対する無線通信機能を有する携帯式のリーダーライターとからなる視聴覚表示システムであって、該データキャリアは、展示物の近くに設置されると共に、該ホストコンピュータに保存された該展示物の情報を無線通信で読み込んだ該リーダーライターから電磁誘導通信で送られる該情報を予め記憶して、該リーダーライターは、該データキャリアに予め記憶された該情報を電磁誘導通信で読み込んで該視覚表示機器または／および該音声再生機器に出力することを特徴とする情報の視聴覚表示システム。
【発明の詳細な説明】
【０００１】
【発明の属する技術分野】
本発明は、携帯式の情報機器であるデータキャリアとリーダーライターを使用し、室内、室外をとわず、博物館や植物園、展示会、商店における展示物等の情報を視覚的または（および）聴覚的に表示するシステムに関するものである。
【０００２】
【従来の技術】
博物館等では展示物の近くに、その物についての由来や性質等の情報を文字、表、図で表示パネル上に表示してある。しかしながら、情報の量が多いと限られた表示パネルの領域に必要なすべてを表示しきれない。そこで最近では、プロジェクターなどの表示装置、テープレコーダーなどの音声装置、あるいはパーソナルコンピュータを、展示物の近くに設置しておき、見学者が自分の興味のある展示物に関する情報を選択し、メモリに記憶されている情報を呼び出して説明文で表示したり、音声を流したりするようになっている。
【０００３】
一方、特定な部屋への入退室管理、鉄道の乗車券、駐車場の入出車管理、電子マネー、商品の万引き防止などにデータキャリアシステムが使用されはじめている。このデータキャリアシステムは、質問器と呼ばれるリーダーライターから、人が携帯したり商品等に取付けられて移動するデータキャリア（応答器）に記憶されている情報を、非接触ではあるが極至近距離の電磁誘導（無線通信）を媒介として問い合わせて応答させるものである。
【０００４】
【発明が解決しようとする課題】
上記した博物館や展示会では展示物の種類が非常に多岐、多数に亘っている。そのため展示物毎にプロジェクターやテープレコーダー、あるいはパーソナルコンピュータを設置することは、多大な設備を必要とする。
【０００５】
そこで本発明は、かかる多大な設備を必要せず、データキャリアシステムを応用した簡易な装置により必要かつ十分な情報を見学者等に視覚的、聴覚的に表示できるシステムを提供するものである。
【０００６】
【課題を解決するための手段】
前記の目的を達成するためになされた本発明の情報の視聴覚表示システムは、実施例に対応する図１に示すとおり、電磁誘導通信機能および書換可能な記憶機能を有するデータキャリア１と、視覚表示機器４または（および）音声再生機器８に接続され、データキャリア１に対する電磁誘導通信機能、およびホストコンピュータに対する無線通信機能である無線ＬＡＮのカード９が接続された携帯式のリーダーライター２からなる視聴覚表示システムであって、データキャリア１は、展示物Ａの近くに設置されると共に、ホストコンピュータに保存された展示物Ａの情報（データ）を無線通信で読み込んだリーダーライター２から電磁誘導通信で送られる情報を予め記憶して、リーダーライター２は、データキャリア１に予め記憶された情報を電磁誘導通信で読み込んで視覚表示機器４または（および）音声再生機器８に出力する。
【０００７】
【発明の実施の形態】
以下、本発明の好ましい実施の形態を図面により詳細に説明する。
【０００８】
図１は、本発明を適用する情報の視聴覚表示システムを、展示会における展示品の説明に使用している例を示す図である。この伝達システムはデータキャリア（応答器）１とリーダーライター（質問器）２からなる。
【０００９】
図２はこの視聴覚表示システムの概略構成を示すブロック回路図である。データキャリア１は、無線送受信回路、変調器、復調器を有するＲＦ回路、演算制御回路ＭＰＵ、および書換可能な読出専用記憶回路ＰＲＯＭ（Programmable Read Only Memory）がＩＣ（Integrated Circuit：集積回路）化されている。このＩＣと一体的にループアンテナ１０が形成されている。
【００１０】
リーダーライター２は、回路本体３、液晶表示部４、音源再生回路５、操作キー６、ループアンテナ７、電源バッテリPowerを備えている。回路本体３には、無線送受信回路、変調器、復調器を持つＲＦ回路、演算制御回路ＭＰＵ、およびランダムアクセスメモリＲＡＭを有している。回路本体３の無線送受信回路はデータキャリア１の無線送受信回路と通信周波数が同調するように合わせてある。操作キー６にはデータキャリア１にデータを書込む機能キー、データキャリア１にデータを問い合わせて呼び出す質問機能キー等が単独または組み合わせで組み込まれている。音源再生回路５にはレシーバー８が接続される。
【００１１】
さらにリーダーライター２には無線ＬＡＮ（ローカルエリアネットワーク）のカード９が接続され、ホストコンピュータとの間で通信できるようになっている。ホストコンピュータには展示品のリストや展示品の説明など必要なデータが保存されている。
【００１２】
データキャリア１のＩＣは、ループアンテナ１０が一体成形されフィルム形状で、展示物Ａ（図示省略）の近くに掛けられた表示パネル１２の「展示品Ａ」と書かれた指マーク１４Ａの位置に裏側から貼り付けられている。「展示品Ｂ」と書かれた指マーク１４Ｂの裏側にもデータキャリア１が貼り付けられている。
【００１３】
かかる情報の視聴覚表示システムは、以下のように操作して使用される。尚、一連の回路動作はリーダーライター２内の演算制御回路ＭＰＵ、並びにデータキャリア１内の演算制御回路ＭＰＵによって制御される。
【００１４】
展示品の出品者乃至管理者は、リーダーライター２のキー６を操作してホストコンピュータにアクセスして展示品Ａの説明のデータを取り出し、ランダムアクセスメモリＲＡＭに取り込む。次いでリーダーライター２を、表示パネル１２の指マーク１４Ａの位置に表面から近づけ、或いは接触させてから、展示品Ａの説明のデータをデータキャリア１の読出専用記憶回路ＰＲＯＭに書込むべく書込機能キーを操作する。すなわちランダムアクセスメモリＲＡＭから呼び出されたデータはリーダーライター２のＲＦ回路の変調器で変調され、その電磁波が無線送受信回路を経てアンテナ１０から発振する。データキャリア１のアンテナ７を経てＲＦ回路の無線送受信回路で同調受信され、復調器で展示品Ａの説明のデータが変調され、読出専用記憶回路ＰＲＯＭに書込まれる。
【００１５】
リーダーライター２をリセットし、同様な操作により展示品Ｂの説明のデータを指マーク１４Ｂの位置に裏面に貼り付けられたデータキャリア１の読出専用記憶回路ＰＲＯＭに書込む。これで出品者乃至管理者側の展示準備は完了する。
【００１６】
見学者は、リーダーライター２を借受け、自己の興味のある展示品、例えば展示品Ａの説明を受ける。先ず、表示パネル１２の展示品Ａの指マーク１４Ａの位置にリーダーライター２を近づけ、質問機能キーを操作すると、質問のためのデータが変調されてリーダーライター２のＲＦ回路からアンテナ１０を経て発振する。この電磁波がデータキャリア１のアンテナ７を経て無線送受信回路で同調受信され、復調器で質問のためのデータ、すなわち読出専用記憶回路ＰＲＯＭに対する読出し信号が復調される。その読出し信号によって読出専用記憶回路ＰＲＯＭの記憶内容、すなわち展示品Ａの説明のデータが読出されてデータキャリア１のＲＦ回路に流れアンテナ７から発振する。この電磁波がリーダーライター２のアンテナ１０を経て無線送受信回路で同調受信され、復調器で復調されて液晶表示部４、或いは音源再生回路５に送られる。すると液晶表示部４に展示品Ａの説明文、図表等が表示される。さらに音源再生回路５に繋がるレシーバー８から展示品Ａの説明音声、あるいは状況に応じたバックグランドミュージックなどが流れる。
【００１７】
図３の実施例は、本発明の情報の視聴覚表示システムを、屋外の植物園における展示植物の説明に使用しているものである。松の木１８に掛けられた「松について」の表示パネル１５には、データキャリア１が裏側から貼り付けられ、データキャリア１の読出専用記憶回路ＰＲＯＭには上記のとおりの手法で松の木の説明が書込まれている。同様に杉の木１９に掛けられた「杉について」の表示パネル１６のデータキャリア１の読出専用記憶回路ＰＲＯＭには、杉の木の説明が書込まれている。松について知りたい見学者は「松について」の表示パネル１５にリーダーライター２を近づければ、液晶表示部４に松の説明文が表示され、レシーバー８から松の説明音声が聞こえる。
【００１８】
尚、リーダーライターとホストコンピュータとの接続は有線接続であってもよい。またリーダーライターに書換可能な読出専用記憶回路を配備して展示品の説明のデータを蓄積しておき、必要に応じてコンピュータと接続してそのデータの書換を行うようにすれば、ＬＡＮによる接続を省略することもできる。
【００１９】
リーダーライターは別途な大型表示装置やプリンタに接続しておき、大画面で視覚したり、説明文、図表等を印刷して受け取ることができるようにすることも可能である。さらに、見学者によるデータキャリアの不用意な書換などを防ぐため、リーダーライターにガード機能を付けたり、管理者用の書込専用リーダーライターと見学者用の質問専用リーダーライターとに分けてもよい。
【００２０】
上記の実施例では、液晶表示部からなる視覚表示機器、および音源再生回路とレシーバーからなる音声再生機器の両者を備えているが、いずれか一方、すなわち視覚表示機器、または音源再生回路を備えた視聴覚表示システムであってもよい。
【００２１】
【発明の効果】
以上、詳細に説明したように本発明を適用する情報の視聴覚表示システムは、多大な設備を必要せず、簡易な装置により必要かつ十分な情報を、見学者等の視覚、聴覚の両方に訴えることができる。システムに蓄積される情報が大量であってもシステムはコンパクトであり、また情報を簡単な操作で容易に書換えることができ常に最新の情報を提供できる。そのため博物館、展示会、商店で展示物の説明等に使用でき、展示物毎にきめの細かい説明ができる。特にデータキャリアは表示パネルの裏面側から貼り付けても実施できるので、表面側は何の凹凸や変化もないから、表示面として妨げにはならない。見た目にも違和感がない。リーダーライターが携帯式であり、しかもデータキャリアがＩＣ化されて電磁誘導通信機能によって操作されるものであるから密封が可能であり、屋外の風雨にさらされるような環境でも使用できる。
【図面の簡単な説明】
【図１】本発明を適用する情報の視聴覚表示システムの使用状態示す外観図である。
【図２】本発明を適用する情報の視聴覚表示システムの概略構成を示すブロック回路図である。
【図３】本発明を適用する情報の視聴覚表示システムの別な使用状態示す外観図である。
【符号の説明】
１はデータキャリア、２はリーダーライター、３は回路本体、４は液晶表示部、５は音源再生回路、６は操作キー、７はループアンテナ、８はレシーバー、９は無線ＬＡＮ、１０はループアンテナ、１２・１５・１６は表示パネル、１４Ａ・１４Ｂは指マークである。１８は松の木、１９は杉の木。
【図１】
0004079670.tif 000002
【図２】
0004079670.tif 000003
【図３】
0004079670.tif 000004